(57)【要約】【課題】動画等の第１のコンテンツを編集せずに、この第１のコンテンツとコメント等の第２のコンテンツとを対応付けて表示するための表示情報を出力することができる情報出力装置を提供すること。【解決手段】実施形態の情報出力装置は、通信手段と、生成手段と、出力手段とを備える。前記通信手段は、第１のコンテンツに関する情報に基づき第２のコンテンツを受信する。前記生成手段は、前記第２のコンテンツを表示するウィンドウであって、指定透過率のウィンドウを生成する。前記出力手段は、前記第１のコンテンツに対応する映像を表示するため、及び前記映像の表示領域上の少なくとも一部に重なる前記ウィンドウを表示するための表示情報を出力する。【選択図】図１
2013197722.tif 000002
【特許請求の範囲】
【請求項１】
第１のコンテンツに関する情報に基づき第２のコンテンツを受信する通信手段と、
前記第２のコンテンツを表示するウィンドウであって、指定透過率のウィンドウを生成する生成手段と、
前記第１のコンテンツに対応する映像を表示するため、及び前記映像の表示領域上の少なくとも一部に重なる前記ウィンドウを表示するための表示情報を出力する出力手段と、
を備える情報出力装置。
【請求項２】
前記通信手段は、前記第１のコンテンツに関するコメントを含む前記第２のコンテンツを受信する請求項１の情報出力装置。
【請求項３】
前記生成手段は、前記第２のコンテンツに含まれた前記コメントの付属データに基づき前記コメントの表示形式を設定し、前記表示形式の前記コメントを表示する前記ウィンドウを生成する請求項２の情報出力装置。
【請求項４】
前記生成手段は、前記第２のコンテンツに含まれた第１のコメントの第１の日時データに基づき前記第１のコメントの第１の表示形式を設定し、前記第２のコンテンツに含まれた第２のコメントの第２の日時データに基づき前記第２のコメントの第２の表示形式を設定し、前記第１の表示形式の前記第１のコメント及び前記第２の表示形式の前記第２のコメントを表示する前記ウィンドウを生成する請求項１乃至３の何れか１つの情報出力装置。
【請求項５】
前記生成手段は、前記コメントのうち、指定フィルターに基づき抽出された抽出コメントを表示する前記ウィンドウを生成する請求項２の情報出力装置。
【請求項６】
前記生成手段は、第１の指定透過率の背景を含む前記ウィンドウを生成する請求項２の情報出力装置。
【請求項７】
前記生成手段は、第２の指定透過率のコメントを含む前記ウィンドウを生成する請求項６の情報出力装置。
【請求項８】
前記生成手段は、指定ウィンドウサイズの前記ウィンドウを生成する請求項２の情報出力装置。
【請求項９】
前記生成手段は、前記指定ウィンドウサイズに対応したウィンドウ対応サイズの前記コメントを含む前記ウィンドウを生成する請求項８の情報出力装置。
【請求項１０】
前記生成手段は、指定コメントサイズの前記コメントを含む前記ウィンドウを生成する請求項８の情報出力装置。
【請求項１１】
前記通信手段は、ネットワークを介して前記第１のコンテンツに関する情報を送信し、前記ネットワークを介して前記２のコンテンツを受信する請求項１乃至１０の何れか１つに記載の情報出力装置。
【請求項１２】
前記第１のコンテンツに対応する動画、及び前記指定透過率の前記ウィンドウにより前記第２のコンテンツに対応するコメントを再生する再生手段を備える請求項１乃至１１の何れか１つに記載の情報出力装置。
【請求項１３】
第１のコンテンツに関する情報に基づき第２のコンテンツを受信し、
前記第２のコンテンツを表示するウィンドウであって、指定透過率のウィンドウを生成し、
前記第１のコンテンツに対応する映像を表示するため、及び前記映像の表示領域上の少なくとも一部に重なる前記ウィンドウを表示するための表示情報を出力する情報出力方法。
【発明の詳細な説明】
【技術分野】
【０００１】
本発明の実施形態は、情報出力装置及び情報出力方法に関する。
【背景技術】
【０００２】
動画コンテンツとこの動画コンテンツに対応する文字コンテンツとを表示する様々な技術が提案されている。例えば、動画上の枠内に文字コンテンツを表示する技術が提案されている。
【０００３】
また、ユーザ間においてコミュニケーションを図る技術として、動画を表示するとともに、サーバから配信されるコメントを表示する技術が提案されている。
【先行技術文献】
【特許文献】
【０００４】
【特許文献１】特開２００９−９４６５３号公報
【特許文献２】特開２０１１−１９３５３５号公報
【発明の概要】
【発明が解決しようとする課題】
【０００５】
無断で、著作権が設定された動画等のコンテンツを編集することは禁じられている。そのため、著作権が設定された動画等のコンテンツを編集し、動画等のコンテンツ上でコメント等の別のコンテンツを再生することは難しい。
【０００６】
著作権が設定された動画等のコンテンツと、コメント等の別のコンテンツを別々に再生することは可能であるが、動画とコメントとの関連性が分かり難い。
【０００７】
本発明の目的は、動画等の第１のコンテンツを編集せずに、この第１のコンテンツとコメント等の第２のコンテンツとを対応付けて表示するための表示情報を出力することができる情報出力装置及び情報出力方法を提供することである。
【課題を解決するための手段】
【０００８】
実施形態の情報出力装置は、通信手段と、生成手段と、出力手段とを備える。前記通信手段は、第１のコンテンツに関する情報に基づき第２のコンテンツを受信する。前記生成手段は、前記第２のコンテンツを表示するウィンドウであって、指定透過率のウィンドウを生成する。前記出力手段は、前記第１のコンテンツに対応する映像を表示するため、及び前記映像の表示領域上の少なくとも一部に重なる前記ウィンドウを表示するための表示情報を出力する。
【図面の簡単な説明】
【０００９】
【図１】第１のコンテンツの映像の表示領域上に、第２のコンテンツ（コメント）を表示するためのウィンドウを重ねて表示した表示画面の一例を示す図である。
【図２】第１のコンテンツの映像の表示領域上に、指定透過率の背景を含むウィンドウを重ねて表示した表示画面の一例を示す図である。
【図３】第１のコンテンツの映像の表示領域上に、指定透過率のコメントを含むウィンドウを重ねて表示した表示画面の一例を示す図である。
【図４】ウィンドウ対応サイズのコメントを含むウィンドウの表示例を示す図である。
【図５】非ウィンドウ対応サイズのコメントを含むウィンドウの表示例を示す図である。
【図６】複数のウィンドウの表示の一例を示す図である。
【図７】情報出力装置による情報出力処理の一例を示すフローチャートである。
【図８】第１〜第６の実施形態に係るコンテンツ再生システムの一例を示す図である。
【発明を実施するための形態】
【００１０】
以下、第１〜第６の実施形態（本発明の実施形態ではなく、単なる実施形態）について図面を参照して説明する。
【００１１】
図８は、第１〜第６の実施形態に係るコンテンツ再生システムの一例を示す図である。図８に示すように、コンテンツ再生システムは、情報出力装置１及びサーバ２により構成される。
【００１２】
情報出力装置１は、例えば、各種のコンピュータ、スマートフォン、デジタルレコーダ、デジタルＴＶである。各種のコンピュータとは、例えば、比較的画面サイズの小さいタブレット型のパーソナルコンピュータ（ＰＣ）、タブレット型のＰＣより画面サイズの大きいノート型のＰＣ、据え置き型のＰＣである。
【００１３】
図８に示すように、情報出力装置１は、制御モジュール１１、記憶モジュール１２、通信モジュール１３、データ処理モジュール１４、映像処理モジュール１５、情報入出力モジュール１６を備える。情報入出力モジュール１６は、情報出力モジュール１６１、情報入力モジュール１６２を備える。
【００１４】
制御モジュール１１は、後述する各モジュールを制御し、情報出力処理を実行する。記憶モジュール１２は、ＲＯＭ、ＲＡＭ、不揮発性メモリ、ハードディスク等で構成される。通信モジュール１３は、有線でのネットワーク接続、及び無線でのネットワーク接続に対応可能に構成され、中継器等を介して放送受信装置３と接続し、放送受信装置３からの動画等の放送コンテンツ（例えば第１のコンテンツ）を受信したり、中継器等を介してサーバ２と接続し、サーバ２からの動画コンテンツ（例えば第１のコンテンツ）を受信したり、中継器等を介してサーバ２と接続し、サーバ２に対して各種情報を送信したり、サーバ２からのサーバコンテンツ（例えば第２のコンテンツ）を受信したりすることができる。なお、情報出力装置１がデジタルＴＶである場合、情報出力装置１は放送信号入力部を備え、放送信号入力部が動画等の放送コンテンツ（例えば第１のコンテンツ）を入力する。
【００１５】
データ処理モジュール１４は、サーバ２へ送信すべき情報を抽出したり、サーバ２から送信され受信した情報を解析したりする。映像処理モジュール１５は、サーバ２から送信された第２のコンテンツを表示するためのウィンドウであって、指定透過率のウィンドウを生成する。情報出力モジュール１６１は、第１のコンテンツに対応する映像を表示するため、及びこの映像の表示領域上の少なくとも一部に重なる前記ウィンドウを表示するための表示情報を出力する。
【００１６】
なお、情報出力装置１が、各種のコンピュータ、スマートフォン、又はデジタルＴＶである場合、情報出力装置１の情報出力モジュール１６１は、ディスプレイ１６１ａを備え、ディスプレイ１６１ａは、前記表示情報に基づき第１のコンテンツに対応する映像、及びこの映像の表示領域上の少なくとも一部に重なる前記ウィンドウを表示する。
【００１７】
なお、第１のコンテンツが放送コンテンツの場合、第１のコンテンツの映像の受信に対して、前記映像に対応するコメント（第２のコンテンツ）の受信が遅延する場合がある。映像処理モジュール１５は、第１のコンテンツの映像とコメントとを同期させるため、第１のコンテンツの映像の出力タイミングを所定時間遅延させる。これにより、第１のコンテンツの映像の受信に対して、前記映像に対応するコメント（第２のコンテンツ）の受信が遅延しても、第１のコンテンツの映像と前記映像に対応するコメントとを同期して出力することができる。
【００１８】
また、情報入力モジュール１６２は、指定透過率等の入力を受け付ける。情報入力モジュール１６２が受け付けた指定透過率等は、記憶モジュール１２に記憶される。なお、情報出力装置１が、ディスプレイ１６１ａを備える場合、情報入力モジュール１６２は、ディスプレイ１６１ａに対応して設けられたタッチパネルであってもよい。
【００１９】
次に、上記した情報出力装置１による情報出力処理の詳細について説明する。
【００２０】
（第１の実施形態）
情報出力装置１の情報入力モジュール１６２が、第１のコンテンツ（放送コンテンツ、放送録画コンテンツ、ホームビデオコンテンツ、パッケージコンテンツ、又は動画サイトからダウンロードした動画コンテンツなど）の再生指示を受け付けると、制御モジュール１１は、第１のコンテンツの再生を指示する。例えば、通信モジュール１３は、中継器等を介して放送受信装置３と接続し、放送受信装置３からの第１のコンテンツ（放送コンテンツ）を受信し、映像処理モジュール１５は、受信した第１のコンテンツに対応する映像及び音声を再生し、情報出力モジュール１６１のディスプレイ１６１ａは、第１のコンテンツに対応する映像を出力（表示）する。
【００２１】
さらに、データ処理モジュール１４は、第１のコンテンツに関する情報（コンテンツ関連情報）を取得し、通信モジュール１３は、中継器等を介してサーバ２と接続し、コンテンツ関連情報に基づきコンテンツを要求し、サーバ２から提供される第２のコンテンツを受信する。
【００２２】
例えば、データ処理モジュール１４は、第１のコンテンツを提供するチャンネル番号、第１のコンテンツのＩＤ、第１のコンテンツの放送時間情報、及び第１のコンテンツのタイトルのうちの少なくとも一つをコンテンツ関連情報として抽出する。通信モジュール１３が、コンテンツ関連情報に基づき第２のコンテンツを要求すると、サーバ２は、コンテンツ関連情報に基づき、第１のコンテンツを特定し、第１のコンテンツに関する書き込みサイトに書き込まれたコメント（第２のコンテンツ）を情報出力装置１へ送信する。
【００２３】
情報出力装置１の通信モジュール１１は、サーバ２からの第２のコンテンツを受信し、映像処理モジュール１５は、第２のコンテンツを表示するウィンドウであって、指定透過率のウィンドウを生成する。例えば、映像処理モジュール１５は、第１の指定透過率（例えば透過率１００％）の背景と固定透過率（例えば透過率０％）のコメントを含むウィンドウを生成する。或いは、映像処理モジュール１５は、第１の指定透過率（例えば透過率１００％）の背景と第２の指定透過率（例えば透過率７０％）のコメントを含むウィンドウを生成する。
【００２４】
映像処理モジュール１５は、第１のコンテンツに対応する映像とともに、ウィンドウを再生する。これに対応して、情報出力モジュール１６１は、第１のコンテンツに対応する映像を表示するため、及びこの映像の表示領域上の少なくとも一部に重なる前記ウィンドウを表示するための表示情報を出力する。情報出力装置１の情報出力モジュール１６１がディスプレイ１６１ａを備える場合、ディスプレイ１６１ａは、前記表示情報に基づき第１のコンテンツに対応する映像、及びこの映像の表示領域上の少なくとも一部に重なる前記ウィンドウを表示する。
【００２５】
図１は、第１のコンテンツの映像の表示領域上に、第２のコンテンツ（コメントＡ〜Ｅ）を表示するためのウィンドウを重ねて表示した表示画面の一例を示す図である。図２は、第１のコンテンツの映像の表示領域上に、指定透過率の背景を含むウィンドウを重ねて表示した表示画面の一例を示す図である。図３は、第１のコンテンツの映像の表示領域上に、指定透過率のコメントを含むウィンドウを重ねて表示した表示画面の一例を示す図である。
【００２６】
例えば、ディスプレイ１６１ａは、第１のコンテンツの映像の表示領域と、第２のコンテンツ（コメント）を表示するためのウィンドウとを同じサイズで全体を重ねて表示することもできるし、第１のコンテンツの映像の表示領域上にこの表示領域より小さいサイズのウィンドウを重ねて表示することもできる。
【００２７】
なお、映像処理モジュール１５は、第１のコンテンツの映像の表示領域を第１のレイヤー、第２のコンテンツ（コメント）を表示するためのウィンドウを第２のレイヤーとして管理し、さらに他のウィンドウ（メニュー画面）等を第３のレイヤーとして管理し、これらレイヤーの順序を指定された順序で重ねることができる。これに対応して、ディスプレイ１６１ａは、映像処理モジュール１５により重ねられた各レイヤーを表示することができる。
【００２８】
（第２の実施形態）
第２の実施形態は、上記説明した第１の実施形態と組み合わせて実施することができる。以下の第２の実施形態の説明では、第１の実施形態と異なる部分を中心に説明し、第１の実施形態と共通する部分の説明は適宜省略する。
【００２９】
映像処理モジュール１５は、指定フィルター（例えば文字列フィルター）に基づき第２のコンテンツに含まれたコメントから、所定コメントを抽出し、抽出された所定コメントを表示する記ウィンドウを生成することもできる。或いは、指定フィルター（例えば文字列フィルター）に基づき第２のコンテンツに含まれたコメントから、所定コメントを抽出し、抽出された所定コメントを除くコメントを表示するウィンドウを生成することもできる。これにより、例えば正規表現などを利用して特定の文字列が含まれているコメントを自動的に表示しないようにすることが可能となる。
【００３０】
（第３の実施形態）
第３の実施形態は、上記説明した第１、第２の実施形態の少なくとも一つと組み合わせて実施することができる。以下の第３の実施形態の説明では、第１、第２の実施形態と異なる部分を中心に説明し、第１、第２の実施形態と共通する部分の説明は適宜省略する。
【００３１】
映像処理モジュール１５は、指定ウィンドウサイズのウィンドウを生成することができる。また、映像処理モジュール１５は、指定ウィンドウ配置のウィンドウを生成することができる。ユーザは、情報入力モジュール１６２を介して、指定ウィンドウサイズ、及び指定ウィンドウ配置を入力することができる。つまり、ユーザは、ウィンドウのサイズや配置を変更することができる。
【００３２】
例えば、映像処理モジュール１５は、指定ウィンドウサイズに対応したウィンドウ対応サイズのコメントを含むウィンドウを生成することができる。図４は、ウィンドウ対応サイズのコメントを含むウィンドウの表示例を示す図である。図４に示すように、ウィンドウ上のコメントのサイズ及び配置は、ウィンドウサイズに応じて適切に変更されている。
【００３３】
或いは、映像処理モジュール１５は、指定コメントサイズ（例えば初期設定コメントサイズ）のコメントを含むウィンドウを生成することができる。図５は、非ウィンドウ対応サイズのコメントを含むウィンドウの表示例を示す図である。図５に示すように、ウィンドウ上のコメントのサイズ及び配置は、ウィンドウサイズに関係なく、初期設定に基づくサイズ及び配置となる。これにより、コメントの一部又は全部が表示されなくなることがある。
【００３４】
（第４の実施形態）
第４の実施形態は、上記説明した第１、第２、第３の実施形態の少なくとも一つと組み合わせて実施することができる。以下の第４の実施形態の説明では、第１、第２、第３の実施形態と異なる部分を中心に説明し、第１、第２、第３の実施形態と共通する部分の説明は適宜省略する。
【００３５】
映像処理モジュール１５は、第２のコンテンツに含まれたコメントの付属データ（メタ情報）に基づき、コメントの表示形式を設定し、表示形式のコメントを表示するウィンドウを生成する。付属データとしては、コメント投稿日時及びコメント投稿者（ＩＤ）等である。
【００３６】
例えば、映像処理モジュール１５は、第２のコンテンツに含まれた第１のコメントの第１の日時データに基づき第１のコメントの第１の表示形式を設定し、第２のコンテンツに含まれた第２のコメントの第２の日時データに基づき第２のコメントの第２の表示形式を設定し、第１の表示形式の第１のコメント及び第２の表示形式の第２のコメントを表示するウィンドウを生成する。
【００３７】
例えば、例えば第２の日時データが第１の日時データより古いことを示す日時データである場合、第１のコメントは第１のサイズ（比較的大きいサイズ）で表示され、第２のコメントは第１のサイズより小さいサイズ（比較的小さいサイズ）で表示される。或いは、現在日時から１週間以内のコメントを第１のサイズで表示し、１週間より古いコメントを第２のサイズで表示することもできる。
【００３８】
コメントの表示サイズだけでなく、同様に、コメントの表示色も変更することができる。例えば、現在日時から１週間以内のコメントを第１の色で表示し、１週間より古いコメントを第２の色で表示することもできる。
【００３９】
（第５の実施形態）
第５の実施形態は、上記説明した第１、第２、第３、第４の実施形態の少なくとも一つと組み合わせて実施することができる。以下の第５の実施形態の説明では、第１、第２、第３、第４の実施形態と異なる部分を中心に説明し、第１、第２、第３、第４の実施形態と共通する部分の説明は適宜省略する。
【００４０】
映像処理モジュール１５は、複数のウィンドウを生成することができる。図６は、複数のウィンドウの表示の一例を示す図である。例えば、映像処理モジュール１５は、コメント毎にウィンドウを生成することができる。或いは、映像処理モジュール１５は、コメントの付属データ（メタ情報）に基づき、コメントをグループ化し、グループ毎にウィンドウを生成することができる。例えば、第１の投稿者からの複数のコメントを第１のグループとし、第２の投稿者からの複数のコメントを第２のグループとし、第１のグループを第１のウィンドウとして生成し、第１のグループを第１のウィンドウとして生成することができる。
【００４１】
また、映像処理モジュール１５は、第２のコンテンツ（第１の投稿サイト上の第１のコンテンツに関するコメント）に加えて第３のコンテンツ（第２の投稿サイト上の第１のコンテンツに関するコメント）を受け取る場合もあり、コンテンツ毎にウィンドウを生成することができる。
【００４２】
また、映像処理モジュール１５は、指定ウィンドウ数に基づき、指定ウィンドウ数以内の複数のウィンドウを生成する。例えば、ユーザが、情報入力モジュール１６２を介して、ウィンドウ数（上限）を指定すると、映像処理モジュール１５は、指定ウィンドウ数以内の複数のウィンドウを生成する。
【００４３】
また、映像処理モジュール１５は、初期ウィンドウ配置又は指定ウィンドウ配置に基づき、複数のウィンドウを配置する。例えば、映像処理モジュール１５は、コメントの付属データ（メタ情報）に含まれた初期ウィンドウ配置に基づき、ウィンドウを配置する。或いは、ユーザが、情報入力モジュール１６２を介して、ウィンドウ配置を指定すると、映像処理モジュール１５は、指定ウィンドウ配置に基づき、ウィンドウを配置する。
【００４４】
上記各実施形態で説明した情報入力モジュール１６２を介して入力した種々の指定は、記憶モジュール１２の不揮発性メモリに保存される。これにより、後日、ウィンドウを出力（表示）する場合に、保存された指定に基づき、ウィンドウを出力（表示）することができる。
【００４５】
（第６の実施形態）
第６の実施形態は、上記説明した第１、第２、第３、第４、第５の実施形態の少なくとも一つと組み合わせて実施することができる。以下の第６の実施形態の説明では、第１、第２、第３、第４、第５の実施形態と異なる部分を中心に説明し、第１、第２、第３、第４、第５の実施形態と共通する部分の説明は適宜省略する。
【００４６】
映像処理モジュール１５は、枠指定に基づきウィンドウの枠を設定し、設定された枠のウィンドウを生成することができる。また、映像処理モジュール１５は、枠指定に基づき表示領域（第１のコンテンツに対応する映像を表示するための表示領域）の枠を設定し、設定された枠の表示領域を生成することもできる。
【００４７】
例えば、映像処理モジュール１５は、ユーザが指定したデザインの枠のウィンドウを生成することもできるし、ユーザが指定したデザインの枠の表示領域を生成することもできる。また、映像処理モジュール１５は、枠無しの指定に基づき、枠の無い（又は枠の透過率１００％の）ウィンドウを生成することもできるし、同様に、枠の無い（又は枠の透過率１００％の）表示領域を生成することもできる。
【００４８】
図７は、情報出力装置１による情報出力処理の一例を示すフローチャートである。
【００４９】
保存された指定、設定がある場合(ＳＴ１、ＹＥＳ)、映像処理モジュール１５は、保存された指定、設定を読み込み(ＳＴ２)、保存された指定、設定に基づき１以上のウィンドウを生成する(ＳＴ３)。
【００５０】
さらに、映像処理モジュール１５は、ウィンドウ毎に配置するコメントを選択し、ウィンドウ毎にコメントを設定する(ＳＴ４)。さらに、映像処理モジュール１５は、ウィンドウ毎にサイズ、配置、透過率を設定し、ウィンドウ内の文字の透過度を設定する(ＳＴ５)。映像処理モジュール１５は、コメント再生表示中でも、ウィンドウの各種設定変更指示に基づき、ウィンドウの各種設定を変更する(ＳＴ６)。
【００５１】
さらに、記憶モジュール１２は、第１のコンテンツの動画に関連付けて、設定を保存したり、保存された設定を更新したりすることができる(ＳＴ７)。
【００５２】
以下、各実施形態についてまとめる。
【００５３】
（１）情報出力装置は、第１のコンテンツ（例えば放送コンテンツ）に対応する映像の表示領域上に専用ウィンドウの少なくとも一部を重ねて配置し、専用ウィンドウ上で各種サイトのコメントを表示することができる。
【００５４】
（２）情報出力装置は、指定サイズに基づき専用ウィンドウのサイズを制御することができる。また、情報出力装置は、専用ウィンドウのサイズに応じてコメントのサイズ、配置を制御することができる。或いは、情報出力装置は、専用ウィンドウのサイズに関係なく、コメントのサイズ、配置を制御することもできる。
【００５５】
（３）情報出力装置は、指定透過率に基づき、専用ウィンドウの背景の透過率及びコメントの透過率を制御することができる。
【００５６】
（４）情報出力装置は、指定フィルターに基づき、所定のコメントを出力したり、所定のコメントを除外したりすることができる。
【００５７】
（５）情報出力装置は、指定表示形式に基づき、コメントの表示形式を制御することができる。
【００５８】
（６）情報出力装置は、複数の専用ウィンドウを生成することができる。
【００５９】
（７）情報出力装置は、例えば、１ヶ月以内に投稿されたコメントだけを専用ウィンドウ上に表示することができる。
【００６０】
（８）情報出力装置は、複数の専用ウィンドウを生成する場合、各ウィンドウをどのレイヤーに表示するか指定することができ、例えば。第１のコンテンツ（例えば放送コンテンツ）に対応する映像の表示領域より上、メニュー画面の表示領域より下、レイヤーの最上位を指定することができる。
【００６１】
上記したように、情報出力装置は、第１のコンテンツ（例えば放送コンテンツ）と、第２のコンテンツ（コメント等の文字コンテンツ）とを合わせて表示する際、第１のコンテンツと第２のコンテンツとを切り離して管理する。つまり、情報出力装置は、第１のコンテンツそのものは編集せずに、第２のコンテンツを出力する。以上により、情報出力装置は、第１のコンテンツの著作権を侵害することなく、第１のコンテンツに対応する映像の表示領域上に、第２のコンテンツに含まれたコメントを表示することができる。しかも、情報出力装置は、映像上のコメントを自由に編集することもできる。
【００６２】
なお、上記したモジュールとは、ハードウェアで実現するものであっても良いし、ＣＰＵ等を使ってソフトウェアで実現するものであってもよい。
【００６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６４】
１…情報出力装置、２…サーバ、１１…制御モジュール、１２…記憶モジュール、１３…通信モジュール、１４…データ処理モジュール、１５…映像処理モジュール、１６…情報入出力モジュール、１６１…情報出力モジュール、１６２…情報入力モジュール、１６１ａ…ディスプレイ
【図１】
2013197722.tif 000003
【図２】
2013197722.tif 000004
【図３】
2013197722.tif 000005
【図４】
2013197722.tif 000006
【図５】
2013197722.tif 000007
【図６】
2013197722.tif 000008
【図７】
2013197722.tif 000009
【図８】
2013197722.tif 000010